【手続補正書】
【提出日】平成19年9月14日(2007.9.14)
【手続補正１】
【補正対象書類名】特許請求の範囲
【補正対象項目名】全文
【補正方法】変更
【補正の内容】
【特許請求の範囲】
【請求項１】
行と列に配置した５９セグメントを有するキャラクタを表示するディスプレイであって、
ほぼ矩形のキャラクタ・ディスプレイの周縁を画定する２８セグメントを備え、前記２８セグメントは、前記ほぼ矩形の周縁の各角に配設された１つのセグメントを含み、５つ以上の付加的なセグメントの４つのグループはそれぞれ、各辺を画定するように配設され、
前記ほぼ矩形のキャラクタ・ディスプレイを分割して、４つの象限を画定する交差デバイダを画定するように配設される１１の付加的なセグメントを備え、前記１１の付加的なセグメントのうちの１つのセグメントは、前記ほぼ矩形のキャラクタ・ディスプレイ内のほぼ中心に配設され、前記１１の付加的なセグメントのうちの１０の他のセグメントは、前記１１の付加的なセグメントの前記１つのほぼ中心に配設されたセグメントから前記ほぼ矩形のキャラクタ・ディスプレイの前記各辺に延びるように配置され、
前記４つの象限のそれぞれの中に配設された５つのセグメントを備え、各象限は、ほぼ中心に位置するセグメントおよび前記中心セグメントから各象限の前記４つの角のそれぞれに向かって対角線方向に延びる４つのセグメントを含むディスプレイ。
【請求項２】
ある数のキャラクタを表示するための製品で具体化されるディスプレイであって、各キャラクタは、複数の行と複数の列で配置されたセグメントを有し、前記キャラクタ・ディスプレイは、
ある数のキャラクタを備え、それぞれのキャラクタは、
前記製品内に互いにほぼ平行に編まれ、前記ディスプレイの数Ｍの列を画定する複数の機能性糸を備え、前記複数の機能性糸のそれぞれは、前記ディスプレイの数Ｎの行を画定する複数のディスプレイ素子を前記それぞれの機能性糸の上に含み、前記ディスプレイ素子は、前記ディスプレイの前記セグメントを画定し、ＭとＮは正の整数であり、
前記複数の機能性糸のそれぞれの１つは、アドレス指定信号を受け取り、前記アドレス指定信号に応答して、前記複数の機能性糸の前記１つの、前記複数のディスプレイ素子の１つの素子を選択的に駆動するための、アドレス指定可能ラッチ式ドライバを前記１つの機能性糸の上にさらに備え、それぞれのキャラクタはさらに
前記キャラクタの隣接するキャラクタ間で、前記隣接するキャラクタ間に間隔を画定するために、前記複数の機能性糸に平行に前記編布式製品内に編み込まれた複数の絶縁性糸と、
前記複数の機能性糸を横切る方向に前記編布式製品内に編み込まれた複数の絶縁性糸と、
前記複数の機能性糸を横切る方向に前記編布式製品内に編み込まれた複数の導電性糸とを備え、
前記導電性糸の１つは、前記複数の機能性糸に電力を印加するために、前記複数の機能性糸との交差部において前記複数の機能性糸に接触し、
前記導電性糸の別の導電性糸は、前記複数の機能性糸の上の前記アドレス指定可能ラッチ式ドライバをアドレス指定するために、前記別の導電性糸との交差部において前記複数の機能性糸に接触するディスプレイ。
【請求項３】
ディスプレイの前記列のそれぞれは、布内に編まれた少なくとも１つの機能性糸を備え、各機能性糸は、前記キャラクタ・ディスプレイの前記行に対応する複数の発光セグメントを前記各機能性糸の上に含む請求項１または２に記載のディスプレイ。
【請求項４】
列を画定する機能性糸の数は、１、２、３、およびそれらの組み合わせであり、セグメントを画定するディスプレイ素子の数は、０、１、２、３、４、およびそれらの組み合わせである請求項３に記載のディスプレイ。
【請求項５】
前記セグメントは９つの列で配置され、第１、第５、および第９列はそれぞれ、布内に編まれた２つの機能性糸を備え、第２、第４、第６および第８列はそれぞれ、布内に編まれた３つの機能性糸を備え、第３および第７列はそれぞれ、布内に編まれた１つの機能性糸を備える請求項１または２に記載のディスプレイ。
【請求項６】
編布式製品で具体化されるディスプレイであって、
編布式製品を画定するために編み込まれた複数の糸と、
前記編布式製品のたて糸とよこ糸の一方において、互いに隣接して前記編布式製品内に編み込まれた複数の電気的機能性糸とを備え、前記複数の電気的機能性糸の隣接する糸のグループは、複数の隣接するキャラクタを画定し、
前記各電気的機能性糸は、
導電体を上に有し、前記導電体の１つ１つに接続する複数の電気接点
を有する細長い電子基板、
前記電子基板に沿って配設される複数のディスプレイ素子および、
前記基板上に配置され、前記電気接点に印加される電力および電気制御信号に応答して、前記複数のディスプレイ素子を制御可能に駆動するために、前記導電体を介して前記電気接点および前記複数のディスプレイ素子に接続されるアドレス指定可能電子デバイスとを含み、前記ディスプレイがさらに
前記複数の電気的機能性糸を横切る方向に前記編布式製品内に編み込まれた複数の導電性糸であって、前記複数の導電性糸のある糸は、前記複数の電気的機能性糸の前記電気接点の少なくとも２つに、それぞれ電気接触する導電性糸と、
前記複数の電気的機能性糸を横切る方向で、かつ、前記導電性糸のある糸の間で、前記編布式製品内に編み込まれた絶縁性糸であって、それによって、前記導電性糸の前記ある糸は、互いに絶縁される、絶縁性糸と、
第１の前記複数の導電性糸であって、前記第１の前記複数の導電性糸に接続され、それによって、電力が、前記第１の導電性糸を介して、前記複数の電気的機能性糸のそれぞれの前記アドレス指定可能電子デバイスに印加される、電力源を受け取るための第１の前記複数の導電性糸と、
前記電気的機能性糸の前記複数のディスプレイ素子のうちの選択されたディスプレイ素子を制御可能に駆動するために、前記アドレス指定可能電子デバイスをアドレス指定するための電気制御信号を受け取るための第２の前記複数の導電性糸とを備え、
それによって、電力および電気制御信号は、前記アドレス指定可能電子デバイスに印加される前記電気制御信号に応答して、前記複数のディスプレイ素子のある素子を制御可能に駆動するために、前記複数の電気的機能性糸に印加することができるディスプレイ。
【請求項７】
アドレス指定可能キャラクタを画定する前記電気的機能性糸の前記アドレス指定可能電子デバイスは、同じアドレスを有し、前記アドレスは、任意の他のアドレス指定可能キャラクタを画定する前記電気的機能性糸の前記アドレスと異なり、それによって、それぞれのアドレス指定可能キャラクタは、１つのアドレスでアドレス指定され、あるいは
前記隣接するキャラクタのそれぞれは、１つまたは複数の隣接する機能性糸の複数の列グループを含み、列グループを画定する前記電気的機能性糸の前記アドレス指定可能電子デバイスは、同じアドレスを有し、前記アドレスは、任意の他の列グループを画定する前記電気的機能性糸の前記アドレスと異なり、それによって、それぞれのアドレス指定可能キャラクタは、列ブループの数と同じ数のある数のアドレスによってアドレス指定される請求項６に記載のディスプレイ。
【請求項８】
前記アドレス指定可能電子デバイスの前記アドレスは、（ａ）前記アドレス指定可能電子デバイスが前記基板上に載る前か、（ｂ）前記アドレス指定可能電子デバイスが前記基板上に載った後のいずれかにおいて決定され、
前記アドレス指定可能電子デバイスの前記アドレスが、前記アドレス指定可能電子デバイスが前記基板上に載った後に決定される場合、（ａ）前記電気的機能性糸が前記編布式製品内に編まれる前に前記アドレスが決定されるか、または、（ｂ）前記電気的機能性糸が前記編布式製品内に編まれた後に前記アドレスが決定される請求項６に記載のディスプレイ。
【請求項９】
編布式製品で具体化される前記ディスプレイが配設される共通基板と、
前記共通基板上に配設された、請求項２または６に記載の編布式製品で具体化される少なくとも１つの付加的なディスプレイと、
前記共通基板の複数の導電体であって、前記共通基板の複数の導電体に電力および電気アドレス指定信号を結合するために、前記編布式製品のそれぞれの前記複数の導電性糸の前記それぞれの導電性糸に結合される前記共通基板の複数の導電体とをさらに備える請求項２または６に記載のディスプレイ。
【請求項１０】
編布式製品内に編まれた複数の機能性糸を有する、編布式製品で具体化されるディスプレイを提供する方法であって、各機能性糸は、アドレス指定可能デバイスおよび複数のディスプレイ素子を含み、前記アドレス指定可能デバイスはあるアドレスを有し、前記複数のディスプレイ素子の駆動を選択的に制御するために、そのアドレスを含むアドレス指定可能信号に応答し、
前記方法は、
前記アドレス指定可能デバイスおよび複数のディスプレイ素子を含む機能性糸を設けること、
前記機能性糸を、所定の位置または順序で編んで、前記編布式製品にすること、および、
前記編布式製品内の各機能性糸の位置または順序に関する各機能性糸の前記アドレス指定可能デバイスの前記アドレスのリストまたはテーブルであって、そこから、アドレス指定信号を生成することができる、リストまたはテーブルを設けることを含み、
各機能性糸の前記アドレス指定可能デバイスの前記アドレスは、前記機能性糸を前記編んで、前記編布式製品にする時点で知られておらず、前記編んだ後に、方法は、前記編布式製品における、各機能性糸の前記アドレスおよび位置または順序を決定すること、および、前記決定されたアドレスおよび位置または順序を前記アドレスのリストまたはテーブルに記憶することをさらに含み、あるいは
各機能性糸の前記アドレス指定可能デバイスの前記アドレスは、前記機能性糸を前記編んで前記編布式製品にする時点で知られており、前記編布式製品内の各機能性糸の位置または順序に関する各機能性糸の前記アドレス指定可能デバイスの前記アドレスのリストまたはテーブルを前記設けることは、前記機能性糸が、前記編布式製品内に編まれる順序で、前記アドレスのリストまたはテーブルに各機能性糸の前記アドレス指定可能デバイスの前記アドレスを記録することを含み、あるいは、
各機能性糸の前記アドレス指定可能デバイスの前記アドレスは、プログラム可能であるが、前記機能性糸を前記編んで、前記編布式製品にする時点でプログラムされず、前記編布式製品内の各機能性糸の位置または順序に関する各機能性糸の前記アドレス指定可能デバイスの前記アドレスのリストまたはテーブルを前記設けることは、前記編布式製品内の各機能性糸の位置または順序に関する所定のアドレスのリストまたはテーブルを設けることを含み、前記編んだ後に、方法は、前記編布式製品内の位置または順序に関する前記所定のアドレスのリストまたはテーブルに従って、各機能性糸の前記アドレス指定可能デバイスの前記アドレスをプログラムすることをさらに含み、
それによって、前記アドレスのリストまたはテーブルは、特定の機能性糸の前記複数のディスプレイ素子の駆動を選択的に制御するために、前記特定の機能性糸の前記アドレス指定可能デバイスの前記アドレスを含むアドレス指定信号を生成するのに使用することができる方法。